(57)【要約】【課題】部品点数を抑えつつ照明器具の安定した取付状態を保持できる照明装置を提供する。また、本発明は、照明器具の安定した取付状態を保持しつつ、天井板の変色を起こさない照明装置を提供する。【解決手段】配線器具の本体部１１の側面からほぼ水平な方向に突出し、没入可能な計２個の掛止部１２と、前記掛止部より上方部に所定距離だけ離間して配置された水平方向に伸びた鍔状板１４と、前記鍔状板１４の照明器具４との接合面に弾性材１５と、を備えた配線器具１が、照明器具４を保持する。【選択図】図３
2008277190.tif 000002
【特許請求の範囲】
【請求項１】
平面に固着されるローゼットボディに取り付けられる配線器具と、前記配線器具に取り付けられる照明器具と、を備える照明装置であって、
前記配線器具は、
装着部を備え、該装着部により前記ローゼットボディに着脱可能に装着される本体部と、
前記本体部の側面から前記平面に対しほぼ平行な方向に突出し、没入可能な少なくとも２つの掛止部と、
前記本体部に、前記掛止部より前記装着部側に所定距離だけ離間して配置され、前記平面に対しほぼ平行な方向に延在する鍔状板と、を備え、
前記照明器具は、
前記本体部が挿入される孔部を備え、該孔部の周縁に前記掛止部と前記鍔状板に挟持される取付部と、を備える支持部材と、
該支持部材に支持されたランプと、
該支持部材に着脱可能に装着され、前記ランプを覆うフードと、を備える、
ことを特徴とする照明装置。
【請求項２】
前記鍔状板又は前記掛止部と、前記取付部との間に、弾性材を有することを特徴とする請求項１に記載の照明装置。
【請求項３】
前記支持部材は、前記配線器具に取り付けられた状態で、前記平面に接触しない形状とサイズに形成されている、ことを特徴とする請求項１又は２に記載の照明装置。
【請求項４】
前記取付部が平坦なリング状に形成されていることを特徴とする請求項１、２又は３に記載の照明装置。
【請求項５】
前記鍔状板と前記掛止部との距離は、前記取付部の幅より大きく、前記取付部の幅と前記弾性材の初期状態での厚みとの和より小さい、ことを特徴とする請求項２又は３に記載の照明装置。
【発明の詳細な説明】
【技術分野】
【０００１】
本発明は、装着された照明器具を安定させる機能を有する照明装置に関する。
【背景技術】
【０００２】
シーリングライト型の家庭用照明器具は、天井板に固着されたローゼットに取り付けられた配線器具により支持されている。照明器具のなかには、安定のため、照明器具の取付基盤と天井板の間に弾性材を施したものがある（例えば、特許文献１参照。）。この弾性材が、配線器具と照明器具との取り付けのガタを吸収し、製造時の寸法誤差や熱による伸縮にかかわらず、安定した取付状態を保持している。
【０００３】
しかし、このような構成では、天井面に段差がある、いわゆる棹縁天井では、照明器具の安定した取付状態を保持できない問題がある。そこで、特許文献２は、配線器具の他にシーリングアダプタとアジャスタを設けて、がたつきを防止する技術を開示している。
【０００４】
【特許文献１】特開平１０−２８３８２８号公報（図１）
【特許文献２】特開２００４−３３５２１９号公報（図２）
【発明の開示】
【発明が解決しようとする課題】
【０００５】
しかし、特許文献２に開示されている構成では、配線器具の他にシーリングアダプタ等の別部材が必要であり、構成が複雑であると共に部品点数が多く、取り付けが面倒である。また、アジャスタが設けられており、このアジャスタが天井板に常時接触しているため、天井板が着色したり、アジャスタが天井に癒着して、取れなくなる等の問題がある。
【０００６】
本発明は、上記問題に鑑みてなされたものであり、部品点数を抑えつつ照明器具の安定した取付状態を保持できる照明装置を提供することを目的とする。
【０００７】
また、本発明は、照明器具の安定した取付状態を保持しつつ、天井板の変色を起こさない照明装置を提供することを目的とする。
【課題を解決するための手段】
【０００８】
上記の目的を達成するため、本発明の照明装置は、
平面に固着されるローゼットボディに取り付けられる配線器具と、前記配線器具に取り付けられる照明器具と、を備える照明装置であって、
前記配線器具は、
装着部を備え、該装着部により前記ローゼットボディに着脱可能に装着される本体部と、
前記本体部の側面から前記平面に対しほぼ平行な方向に突出し、没入可能な少なくとも２つの掛止部と、
前記本体部に、前記掛止部より前記装着部側に所定距離だけ離間して配置され、前記平面に対しほぼ平行な方向に延在する鍔状板と、を備え、
前記照明器具は、
前記本体部が挿入される孔部を備え、該孔部の周縁に前記掛止部と前記鍔状板に挟持される取付部と、を備える支持部材と、
該支持部材に支持されたランプと、
該支持部材に着脱可能に装着され、前記ランプを覆うフードと、を備える、ことを特徴とする。
【０００９】
前記鍔状板又は前記掛止部と、前記取付部との間に、弾性材を有してもよい。
【００１０】
前記支持部材は、前記配線器具に取り付けられた状態で、前記平面に接触しない形状とサイズに形成されてもよい。
【００１１】
前記取付部が平坦なリング状に形成されてもよい。
【００１２】
前記鍔状板と前記掛止部との距離は、前記取付部の幅より大きく、前記取付部の幅と前記弾性材の初期状態での厚みとの和より小さくてもよい。
【発明の効果】
【００１３】
本発明によれば、照明装置が、その照明装置が装着される平面にローゼットボディ以外の部分で接触しないので、照明装置が平面に接触することにより発生する天井板の変色を防止することができる。
【発明を実施するための最良の形態】
【００１４】
本発明の実施形態に係る照明装置について図１と図３を参照して説明する。
【００１５】
本実施形態の照明装置は、図３に示すように、天井板３に設置されたローゼットボディ２に固定される配線器具１と、該配線器具１に装着される照明器具４とから構成される。
【００１６】
まず、照明装置を構成する配線器具１を、この配線器具１を反対方向から見た図１（ａ）と図１（ｂ）を参照して説明する。
【００１７】
配線器具１は、天井板３に固定されているローゼットボディ２に装着され、図３に示すように、照明器具４を吊り下げると共に照明器具４の電源部となる機器であり、本体部１１と、掛止部１２と、掛止部出入レバー１３と、鍔状板１４と、弾性材１５と、鉤状プラグ１６と、を備える。
【００１８】
本体部１１は、プラスチックなどの絶縁性樹脂から構成され、円柱状に成型されている。本体部１１のローゼットボディ接合面１１ｂ（図１（ｂ）の上面）は、ローゼットボディ２への装着部を構成し、ローゼットボディ２の対向面に配置されたコンセントに挿入される鉤状プラグ１６が配置されている。鉤状プラグ１６をローゼットボディ２のコンセントプラグ受口に挿入して回転させることにより、鉤状プラグ１６がローゼットボディ２内の鉤状構造と係合し、あるいは、係合が解除される。係合状態では、ローゼットボディ接合面１１ｂは、ローゼットボディ２の対向面に押圧され、本体部１１は、がたつき無くローゼットボディ２に固定されて装着される。
【００１９】
掛止部１２は、照明器具４の着脱を可能とし、さらに、照明器具４の落下を防止するための部材であり、本体部１１の側面の対称位置に計２個配置されている。掛止部１２は、照明器具４を支持する強度を有する剛体、例えば、プラスチックから構成される。掛止部１２は、本体部１１内部で、水平方向に突出するように付勢されており、通常状態では突出した状態を維持する。一方、付勢に抗した外力が加わると、掛止部１２は本体部１１内に没入する。照明器具４の落下を防止するために、掛止部１２の照明器具４との対向面１２ａは、平坦な形状を有する。一方、照明器具４の装着時に、掛止部１２を自動的に没入させるために、掛止部１２の他面（傾斜面）１２ｂは、先端が薄くなるように外側に向かって傾斜している。照明器具４の落下を防止するため、掛止部１２は、通常時は、所定量、例えば、１ｃｍ程度突出している。
【００２０】
掛止部出入レバー１３は、掛止部１２を本体部１１内部に出入制御するためのレバーであり、本体部１１の照明器具取付面１１ａ（図１（ａ）の上面）から突出している。掛止部出入レバー１３は、本体部１１内部で掛止部１２とリンク機構により連結されており、通常状態では、掛止部１２は本体部１１の側面から突出しているが、一対の掛止部出入レバー１３に円の中心方向に外力が加えられると、円の中心側に移動し、掛止部出入レバー１３に連動して掛止部１２が本体部１１内に没入する。
【００２１】
鍔状板（フランジ）１４は、照明器具４を安定させるための部材であり、ローゼットボディ接合面１１ｂと面一に且つ本体部１１と一体に樹脂により成型された円板から構成される。鍔状板１４は、本体部１１の円柱の中心軸にほぼ直交する面上に伸びており、本体部１１をローゼット２に装着した状態で、天井板３に平行に配置される。鍔状板１４は、掛止部１２よりも突出するように、例えば、本体部１１の側面から２ｃｍ以上突出するように形成され、例えば、１５ｃｍ程度にすることにより、照明器具４をより安定させることができる。
【００２２】
なお、鍔状板１４と天井板３との間には、特段の補助器具は配置されない。
【００２３】
弾性材１５は、照明器具４の安定性を向上させるための部材であり、例えば、スポンジによって形成される。弾性材１５は、鍔状板１４の照明器具４との接合面（下面）全体に接着剤などにより貼付されている。弾性材１５は、照明器具４の後述する照明器具支持部（取付部）４１と隙間なく密着するように、初期状態でほぼ均一の厚さ、例えば、１ｃｍの厚みを有する。弾性材１５の初期状態とは、無加圧の状態である。
【００２４】
鍔状板１４に貼付されている弾性材１５の照明器具４との接合面と掛止部１２の照明器具対向面１２ａとの間に有する空間幅は、照明器具支持部４１の厚み（幅）に比べ、若干狭く形成されている。このため、照明器具４をこの配線器具１に取り付けた状態では、弾性材１５が照明器具支持部４１により押圧されて、弾性材１５の下面と照明器具支持部４１の上面が密着し、照明器具４の安定性が保持される。
【００２５】
次に、配線器具１により吊り下げられる照明器具４について図２及び図３を参照して説明する。
【００２６】
照明器具４は、図３に示すように、照明器具支持部４１と、ランプ４２と、ランプ支持部４３と、フード４４と、を備える。
【００２７】
照明器具支持部４１は、この照明器具４全体を支持する部分であり、図２に示すように、ドーナツ状の円盤から構成される。照明器具支持部４１は、プラスチックなどから構成され、照明器具４全体を支持する強度を有する。
【００２８】
照明器具支持部４１に形成されている穴（取付穴）４１ａは、配線器具１の本体部１１の外径より若干、例えば、２ｍｍ〜３ｍｍ程度大きく形成されている。図５に示すように、取付穴４１ａの周囲部分、即ち、配線器具１の取付部４１ｂの厚さｔ１は、配線器具１の鍔状板１４と掛止部１２との距離ｔ２より小さく、弾性材１５の一面から照明器具対向面１２ａまでの距離Ｄ１より大きい。
【００２９】
ランプ４２は、一般のリング状や棒状の照明ランプである。
【００３０】
ランプ支持部４３は、ランプ４２を支持し、電力を供給するための部材である。ランプ支持部４３の上端は、照明器具支持部４１に結合されており、ランプ支持部４３の下端は、ランプ４２を支持するフック状構造を形成する。ランプ支持部４３は、スイッチのオンオフに応じて、鉤状プラグ１６を介してローゼット本体２から供給される電力をランプ４２に供給する。
【００３１】
フード４４は、照明器具支持部４１に着脱可能に装着され、ランプ４２を覆い、ランプ４２の発する光を透過する素材、例えば、ガラスやプラスチックから構成される。
【００３２】
ローゼットボディ２は、配線器具１を部屋の天井板３に固定するためのものであり、例えば、円柱状で、予め天井板３に取り付けられる。ローゼットボディ２のコンセント装着部（下面）は、配線器具１の鉤状プラグ１６を取り付けることができる鉤状受口部を有する。なお、ローゼットボディ２は、従来の一般的なものでもよい。
【００３３】
次に、上記構成の配線器具１を用いて照明器具４を天井板３に装着する方法及び取り外す方法について説明する。
【００３４】
まず、天井板３には、ローゼットボディ２が予め固定されている。
【００３５】
ローゼットボディ２の下面に設けられたコンセント装着部に、配線器具１の鉤状プラグ１６を挿入して、配線器具１を所定方向に回動することにより、ローゼットボディ２内の係止部と鉤状プラグ１６とが係止し、配線器具１はローゼットボディ２にがたつき無く固定される。固定状態では、配線器具１の鍔状板１４は、天井板３にほぼ平行な状態となり、配線器具１と鍔状板１４の間には特別な器具・装置は配置されていない。
【００３６】
続いて、図４に示すように、照明器具４の取付穴４１ａを配線器具１の本体部１１に挿入して押し上げる。すると、配線器具取付部４１ｂにより、傾斜面１２ｂが押圧され、付勢力に抗する力が作用して、掛止部１２が本体部１１内に没入する。
【００３７】
照明器具４がさらに押し上げられると、照明器具支持部４１が弾性材１５を押圧し、さらに、所定位置まで上昇すると、取付穴４１ａの内面で抑えられていた掛止部１２が、付勢力により突出し、照明器具支持部４１を、鍔状板１４と掛止部１２とで、挟持する状態となる。このとき、弾性材１５により、ある程度の圧力が加えられ、照明器具４は安定して固定される。
【００３８】
なお、配線器具１のローゼットボディ接合面１１ｂ及び照明器具支持部４１の天井板３との対向面には、天井板３と接触する余計な付属品はない。
【００３９】
一方、照明器具４を配線器具１から取り外す際には、例えば、フード４４を外し、掛止部出入レバー１３を操作して、掛止部１２を本体部１１内に没入させて、取り外す。
【００４０】
以上説明したように、本実施の形態にかかる配線器具１によれば、特段の付属部品を用いずに、照明器具４をローゼットボディ２に安定的に固定することができる。このため、照明装置を取り付ける天井板３の壁面の変色や、変形も発生しない。
【００４１】
なお、本発明は上記実施の形態に限定されず、種々の変形及び応用が可能である。
【００４２】
例えば、配線器具１は、天井取付用照明器具への使用に限定するものではなく、例えば壁掛用照明器具にも使用可能である。
【００４３】
本体部１１の形状は、円柱だけでなく、楕円柱又は多角柱等、任意である。
【００４４】
上記実施の形態では、掛止部１２は、本体部１１の側面の対称位置に計２個配置されているが、掛かり止め部１２の個数や配置位置は任意である。例えば、掛止部１２を３つ以上としてもよい。それらの配置位置も任意である。ただし、円周上に、バランスよく配置させることが望ましい。
【００４５】
上記実施の形態では、掛止部１２の照明器具対向面１２ａをほぼ水平としたが、照明器具４の落下を防止するため、図６に示すように、先端部を上昇させた傾斜面としてもよい。
【００４６】
鍔状板１４の形状については、円形だけでなく、楕円形又は多角形等とすることができる。また、鍔状板１４は、本体部１１と一体構造となっているが、着脱式にすることも可能である。また、本体部１１のローゼットボディ接合面１１ｂと面一としたが、図６に示すように、ローゼットボディ接合面１１ｂと鍔状板１４との間に段差があってもかまわない。
【００４７】
鍔状板１４の素材については、プラスチックだけでなく、鉄又は木材等を使用することができる。
【００４８】
弾性材１５の素材については、スポンジだけでなく、ゴム又はシリコン等を使用することができる。ゴム又はシリコン等を使用する場合には、弾性材１５の厚みは、１ｃｍ以下とすることができる。
【００４９】
弾性材１５を、鍔状板１４の下面に貼付したが、照明器具対向面１２ａに配置しても良く、あるいは、鍔状板１４の下面と照明器具対向面１２ａの両方に配置してもよい。
【００５０】
また、配線器具１に配置する代わりに、図６に示すように、照明器具４の照明器具支持部４１の上面（鍔状板１４に対向する面）、上面と下面の両面に配置してもよい。
【００５１】
また、照明器具支持部４１を安定して挟持することができるならば、弾性材１５を必ずしも設ける必要はない。
【００５２】
また、弾性材１５の形状は、鍔状板１４の下面全体に貼付するためにドーナツ状を形成するが、縞状又は渦巻状等とすることができる。さらに、弾性材１５は、ほぼ均一の厚さを形成しているが、鍔状板１４の周縁部にいくほど、厚みを増す形状とすることができる。
【００５３】
照明器具支持部４１の厚みは、均一でなくてもよい。また、照明器具支持部４１の上面は、弾性材１５との接触面積を増加させ照明器具４を安定化させる形状、例えば、鋸型形又は波形等とすることができる。
【００５４】
また、鍔状板１４と照明器具支持部４１とは、本体部１１の軸に垂直（装着状態で天井板３に平行）である必要はなく、ローゼットボディ２に装着した状態で、鍔状板１４と照明器具支持部４１とが天井板３に接触しないならば、任意の形状が可能である。例えば、装着状態で、鍔状板１４が周縁部に向かって下降し、照明器具支持部４１が鍔状板１４の形状に対応する形状を有していてもよい。
【図面の簡単な説明】
【００５５】
【図１】本発明の実施形態に係る照明装置を構成する配線器具の構成を示す斜視図であり、（ａ）は配線器具を下面側から見た図、（ｂ）は上面側から見た図である。
【図２】（ａ）本発明の実施形態に係る照明装置を構成する照明器具の支持部の斜視図であり、（ｂ）は図２（ａ）のａ−ａ線での断面図である。
【図３】配線器具を使用して照明器具を取り付けた状態を示す図である。
【図４】配線器具に照明器具を取り付ける方法を説明する図である。
【図５】配線器具と配線器具取付部の拡大図である。
【図６】配線器具と照明器具の変形例を示す図である。
【符号の説明】
【００５６】
１      配線器具
１１    本体部
１１ａ  照明器具取付面
１１ｂ  ローゼットボディ接合面
１２    掛止部
１２ａ  照明器具対向面
１２ｂ  傾斜面
１３    掛止部出入レバー
１４    鍔状板
１５    弾性材
１６    鉤状プラグ
２      ローゼットボディ
３      天井板
４      照明器具
４１    照明器具支持部
４１ａ  取付穴
４１ｂ  配線器具取付部
４２    ランプ
４３    ランプ支持部
４４    フード
【図１】
2008277190.tif 000003
【図２】
2008277190.tif 000004
【図３】
2008277190.tif 000005
【図４】
2008277190.tif 000006
【図５】
2008277190.tif 000007
【図６】
2008277190.tif 000008